(57)【要約】【課題】  ドアガイドシューとの接触により敷居溝の壁面が摩耗して敷居溝の間隔が広がっても、簡単な作業によりドアパネルの開閉動作における不具合の発生を防止すること。【解決手段】  ドアパネル１の下端部に主ドアガイドシュー６，７と補助ドアガイドシュー９を設ける。補助ドアガイドシュー９は、Ｌ字型ブラケット１０ｂが長孔９ａおよびビス８により敷居溝５ａの幅方向に進退自在に取付けられている。主ドアガイドシュー６，７が敷居溝５ａ内を移動することによって、敷居溝５ａの壁面が摩耗して敷居溝５ａの間隔が広がってきた際には、補助ドアガイドシュー９の取付け位置を調整して敷居溝５ａの壁面と各ドアガイドシュー６，７，９の他辺部６ｂ，７ｂ，９ｂとの隙間を敷居溝５ａの摩耗状態に応じて適切な状態に維持する。【選択図】  図１
2005082315.tif 000002
【特許請求の範囲】
【請求項１】
開閉動作するドアパネルと、このドアパネルの下方に設置された敷居溝と、前記ドアパネルの下端部に取付けられ、前記敷居溝内を移動可能な複数個の主ドアガイドシューと、前記ドアパネルの下端部における前記複数個の主ドアガイドシューの中間位置に取付けられ、前記敷居溝の幅方向に沿って進退自在に構成された補助ドアガイドシューとを備えてなるエレベータのドア装置。
【請求項２】
前記補助ドアガイドシューの側面は、前記主ドアガイドシューの側面よりも前記敷居溝の一方の壁面側に突出して位置していることを特徴とする請求項１に記載のエレベータのドア装置。
【請求項３】
前記補助ドアガイドシューの突出量は、前記敷居溝の摩耗状態に応じて調整可能に構成したことを特徴とする請求項２に記載のエレベータのドア装置。
【発明の詳細な説明】
【技術分野】
【０００１】
本発明は、エレベータのドア装置に関する。
【背景技術】
【０００２】
エレベータのドア装置は、複数枚のドアパネルが出入り口の上部に設けられたレール上にハンガーローラを介して吊下げられ、ドア駆動装置により片開きまたは両開きで開閉駆動される。ドアパネルの下端部にはドアガイドシューが取付けられており、ドアパネルの下方に設置された敷居溝内に位置して敷居溝内を移動することによりドアパネルの開閉動作を案内している。
【０００３】
図３および図４は従来のエレベータのドア装置を示す斜視図および断面図である。ドアパネル１は、矩形に枠組された断面コの字型の補強材２に取付けられ、図示しないドア駆動装置により開閉動作されるようになっている。ドアパネル１の下端部には２個のドアガイドシュー３，４が取付けられており、これらドアガイドシュー３，４は乗り場の出入り口端に設置された敷居５の敷居溝５ａ内に位置し、この敷居溝５ａに沿って移動可能に配置されている。敷居５はアルミニウム材を型押しして形成されており、またドアガイドシュー３，４は、敷居溝５ａ内に位置する部分がゴム、フェルト等の防振材で覆われている。
【発明の開示】
【発明が解決しようとする課題】
【０００４】
ところで、ドアパネル１が開閉動作を行ない、ドアガイドシュー３，４が敷居溝５ａ内を移動する際には、ドアガイドシュー３，４が敷居溝５ａの壁面に接触したり摺動したりするので、エレベータの長年の使用によりアルミニウム製の敷居溝５ａの壁面５ｂが摩耗して削られ敷居溝５ａの間隔が広がってくる。
【０００５】
敷居溝５ａの間隔が広がると、敷居溝５ａの壁面５ｂとドアガイドシュー３，４との隙間が大きくなり、ドアパネル１が開閉動作をする際にガタツキが発生するだけでなく、出入り口周囲に配置されているドア枠に接触して異常音を発したり、ドアパネル１に荷物や台車等が衝突した際の衝撃によりドアガイドシュー３，４が敷居溝５ａから外れ易くなる等の不具合が発生するおそれがある。
【０００６】
この対策として敷居５を取り替えることが行なわれるが、敷居５を新品に取り替えるには多大な時間と費用を要するという問題がある。
【０００７】
本発明は、上記の問題を解決するためになされたもので、ドアガイドシューとの接触により敷居溝の壁面が摩耗して敷居溝の間隔が広がっても、簡単な作業によりドアパネルの開閉動作における不具合の発生を防止することのできるエレベータのドア装置を提供することを目的とする。
【課題を解決するための手段】
【０００８】
上記の課題を解決するため、本発明によるエレベータのドア装置は、開閉動作するドアパネルと、このドアパネルの下方に設置された敷居溝と、ドアパネルの下端部に取付けられ、敷居溝内を移動可能な複数個の主ドアガイドシューと、ドアパネルの下端部における複数個の主ドアガイドシューの中間位置に取付けられ、敷居溝の幅方向に沿って進退自在に構成された補助ドアガイドシューとを備えてなることを特徴とする。
【発明の効果】
【０００９】
本発明によれば、ドアガイドシューとの接触により敷居溝の壁面が摩耗して敷居溝の間隔が広がっても、補助ドアガイドシューを突出させる簡単な作業により、ドアガイドシューと敷居溝の壁面との隙間を小さくでき、ドアパネルのガタツキや外れ等のドアパネルの開閉動作における不具合の発生を防止することができる。
【発明を実施するための最良の形態】
【００１０】
図１および図２は本発明の一実施の形態にかかるエレベータのドア装置を示す斜視図および断面図である。図１および図２において、ドアパネル１は矩形に枠組された断面コの字型の補強材２に取付けられ、図示しないドア駆動装置により開閉動作されるようになっている。ドアパネル１の下端部に位置する補強材２には、複数個例えば２個の主ドアガイドシュー６，７が水平方向に間隔をおいて取付けられている。主ドアガイドシュー６，７はそれぞれ板状でＨ形をなし、その一辺部６ａ，７ａがそれぞれビス８により補強材２の側面に取付けられ、他辺部６ｂ，７ｂがゴム、フェルト等の柔軟な材質の防振材で覆われて垂直方向に延びるように配置されている。各主ドアガイドシュー６，７の他辺部６ｂ，７ｂは、乗り場の出入り口端に設置された敷居５の敷居溝５ａ内に位置し、この敷居溝５ａに沿って移動可能に配置されている。敷居５はアルミニウム材を型押しして形成されている。
【００１１】
ドアパネル１の下端部における２個の主ドアガイドシュー６，７の中間位置には、補助ドアガイドシュー９が１個または複数個設けられている。この補助ドアガイドシュー９は、進退構成部１０とガイドシュー部１１から構成されている。
【００１２】
進退構成部１０は、長孔１０ａを形成したＬ字型ブラケット１０ｂとビス８からなり、長孔１０ａを介してビス８により補強材２の上面に取付けられ、Ｌ字型ブラケット１０ｂが長孔１０ａの長手方向（敷居溝５ａの幅方向）に沿って進退自在となるように構成されている。
【００１３】
ガイドシュー部１１は、板状でＨ形をなし、その一辺部１１ａがビス８によりＬ字型ブラケット１０ｂに取付けられ、他辺部１１ｂが敷居溝５ａ内に位置するように垂直方向に延びるように配置されている。なお、このガイドシュー部１１の他辺部１１ｂにおいてもゴム等の防振材により覆われている。
【００１４】
このガイドシュー部１１の他辺部１１ｂは、補強材２への取付け初期には、敷居溝５ａ内において主ドアガイドシュー６，７の他辺部６ｂ，７ｂとほぼ同じ位置かまたは主ドアガイドシュー６，７の他辺部６ｂ，７ｂよりも補強材２側に位置させて配置されている。
【００１５】
そしてエレベータの長年の使用により、ドアパネル１が多頻度の開閉動作を行ない、主ドアガイドシュー６，７が敷居溝５ａ内を移動する際に主ドアガイドシュー６，７が敷居溝５ａの壁面５ｂに接触したり摺動したりすることによって、敷居溝５ａの壁面５ｂが摩耗して削られ敷居溝５ａの間隔が広がってきた際には、補助ドアガイドシュー９の長孔１０ａに取付けたビス８を緩め、長孔１０ａを利用してＬ字型ブラケット１０ｂおよびガイドシュー部１１を反補強材２側（敷居溝５ａの一方の壁面側）に突出させ、主ドアガイドシュー６，７および補助ドアガイドシュー９の他辺部６ｂ，７ｂ，１１ｂと敷居溝５ａの両壁面５ｂとの隙間が適切な状態となるように位置を調整して補助ドアガイドシュー９を再取付する。
【００１６】
すなわち補助ドアガイドシュー９の取付け位置を調整するという簡単な作業により、敷居溝５ａの壁面と各ドアガイドシュー６，７，９の他辺部６ｂ，７ｂ，９ｂとの隙間を敷居溝５ａの摩耗状態に応じて適切な状態に維持することができる。これによりドアパネル１が開閉動作をする際にガタツキを発生することがなくなり、またドアパネル１が出入り口周囲に配置されているドア枠に接触して異常音を発したり、ドアパネル１に荷物や台車等が衝突した際の衝撃により主ドアガイドシュー６，７が敷居溝５ａから外れ易くなったりする等の不具合の発生を抑制することができる。しかも敷居５を新品に取り替える必要もなくなる。
【００１７】
なお、上述の補助ドアガイドシュー９は、エレベータの設置時に主ドアガイドシュー６，７とともに予め取付けておいても良く、またエレベータの設置後の使用により敷居溝５ａに摩耗が発生し、ドアパネル１の開閉動作に対して調整が必要になった時点で取付けても良い。
【図面の簡単な説明】
【００１８】
【図１】本発明の一実施の形態にかかるエレベータのドア装置を示す斜視図である。
【図２】図１に示すエレベータのドア装置の断面図である。
【図３】従来のエレベータのドア装置を示す斜視図である。
【図４】図３に示すエレベータのドア装置の断面図である。
【符号の説明】
【００１９】
１…ドアパネル
２…補強材
５…敷居
５ａ…敷居溝
５ｂ…壁面
６，７…主ドアガイドシュー
６ａ，７ａ，１１ａ…一辺部
６ｂ，７ｂ，１１ｂ…他辺部
８…ビス
９…補助ドアガイドシュー
１０…進退構成部
１０ａ…長孔
１０ｂ…Ｌ字型ブラケット
１１…ガイドシュー部
【図１】
2005082315.tif 000003
【図２】
2005082315.tif 000004
【図３】
2005082315.tif 000005
【図４】
2005082315.tif 000006